(57)【特許請求の範囲】
【請求項１】
近接場通信（ＮＦＣ）通信用ＮＦＣデバイスにおける１つまたは複数の信号の使用を可能にする方法であって、
前記ＮＦＣデバイスのＮＦＣコントローラにおいて、前記ＮＦＣデバイスのデバイスホストからステイ・クワイエット・コマンドを受信することと、前記ステイ・クワイエット・コマンドは、１つまたは複数のリモートＮＦＣエンドポイントに対応する１つまたは複数の固有の識別子（ＵＩＤ）のリストおよびＵＩＤの数に関するフィールドを含むペイロードを備える、
前記ＮＦＣコントローラによって、前記ステイ・クワイエット・コマンドに少なくとも部分的に基づいて、前記デバイスホストにステイ・クワイエット応答を送信することと、前記ステイ・クワイエット応答は、前記ステイ・クワイエット・コマンドが受信されたことを示す、
前記デバイスホストがポーリングモードにあり、フレーム無線周波数（ＲＦ）インターフェースがタイプ５プロトコルのために活性化されたときに、前記ステイ・クワイエット・コマンドが受信されるかどうかを決定することと、
前記ＮＦＣコントローラによって、前記１つまたは複数のＵＩＤに少なくとも部分的に基づいて、および前記デバイスホストが前記ポーリングモードにあり、前記フレームＲＦインターフェースがタイプ５プロトコルのために活性化されたときに前記ステイ・クワイエット・コマンドが受信されるとの決定に基づいて、前記ＮＦＣデバイスの範囲内の前記１つまたは複数のリモートＮＦＣエンドポイントに１つまたは複数のステイ・クワイエット要求を送信することと、ここにおいて、前記１つまたは複数のステイ・クワイエット要求の各々は、前記１つまたは複数のリモートＮＦＣエンドポイントのうちの１つのリモートＮＦＣエンドポイントに対応する前記１つまたは複数のＵＩＤのうちの１つのＵＩＤを含むペイロードを備える、
前記ＮＦＣコントローラによって、前記デバイスホストが前記ポーリングモードになく、前記フレームＲＦインターフェースが前記タイプ５プロトコルのために活性化されていないときに前記ステイ・クワイエット・コマンドが受信されるとの決定に基づいて、前記ＮＦＣデバイスの前記デバイスホストに状態エラーを送信することと、前記状態エラーは、前記１つまたは複数のステイ・クワイエット要求が送信されないであろうことを示す、
を備える、方法。
【請求項２】
前記ＮＦＣコントローラによって、前記１つまたは複数のステイ・クワイエット要求の前記送信の完了に少なくとも部分的に基づいて、前記デバイスホストにステイ・クワイエット通知を送信することと、
をさらに備える、請求項１に記載の方法。
【請求項３】
前記１つまたは複数のステイ・クワイエット要求は、少なくとも１つまたは複数のパラメータ値を使用するデータ交換プロトコルを使用して送信される、請求項１に記載の方法。
【請求項４】
前記１つまたは複数のパラメータ値は、ＲＦ技術およびモードパラメータのうちの１つまたは両方を含む、請求項３に記載の方法。
【請求項５】
前記ＲＦ技術およびモードパラメータは、ＮＦＣ−Ｖ技術に対応する、請求項４に記載の方法。
【請求項６】
前記ＮＦＣコントローラは、リモートＮＦＣエンドポイントの前記数に対応するステイ・クワイエット要求の数を送信する、請求項１に記載の方法。
【請求項７】
前記ＮＦＣデバイスの範囲内の前記１つまたは複数のリモートＮＦＣエンドポイントの各々は、ＵＩＤを含み、前記１つまたは複数のステイ・クワイエット要求内の前記１つまたは複数のＵＩＤのうちの１つが前記ＵＩＤと一致すると決定することに少なくとも部分的に基づいて、クワイエット状態に入るように構成されている、請求項１に記載の方法。
【請求項８】
前記ステイ・クワイエット応答は、前記ステイ・クワイエット・コマンドが受信されたことを前記デバイスホストに示すステータス値を含む、請求項１に記載の方法。
【請求項９】
前記１つまたは複数のリモートＮＦＣエンドポイントは、リモートＮＦＣタグ、またはピアＮＦＣデバイス、または読取デバイス、またはライタデバイス、またはＮＦＣカードのうちの、少なくとも、１つまたは複数を含む、請求項１に記載の方法。
【請求項１０】
近接場通信（ＮＦＣ）通信用ＮＦＣデバイスにおける１つまたは複数の信号の使用を可能にするための装置であって、
前記ＮＦＣデバイスにおいて、前記ＮＦＣデバイスのデバイスホストからステイ・クワイエット・コマンドを受信するための手段と、前記ステイ・クワイエット・コマンドは、１つまたは複数のリモートＮＦＣエンドポイントに対応する１つまたは複数の固有の識別子（ＵＩＤ）のリストおよびＵＩＤの数に関するフィールドを含むペイロードを備える、
前記ステイ・クワイエット・コマンドに少なくとも部分的に基づいて、前記デバイスホストにステイ・クワイエット応答を送信するための手段と、前記ステイ・クワイエット応答は、前記ステイ・クワイエット・コマンドが受信されたことを示す、
前記デバイスホストがポーリングモードにあり、フレーム無線周波数（ＲＦ）インターフェースがタイプ５プロトコルのために活性化されたときに、前記ステイ・クワイエット・コマンドが受信されるかどうかを決定するための手段と、
前記１つまたは複数のＵＩＤに少なくとも部分的に基づいて、および前記デバイスホストが前記ポーリングモードにあり、前記フレームＲＦインターフェースがタイプ５プロトコルのために活性化されたときに前記ステイ・クワイエット・コマンドが受信されるとの決定に基づいて、前記ＮＦＣデバイスの範囲内の前記１つまたは複数のリモートＮＦＣエンドポイントに１つまたは複数のステイ・クワイエット要求を送信するための手段と、ここにおいて、前記１つまたは複数のステイ・クワイエット要求の各々は、前記１つまたは複数のリモートＮＦＣエンドポイントのうちの１つのリモートＮＦＣエンドポイントに対応する前記１つまたは複数のＵＩＤのうちの１つのＵＩＤを含むペイロードを備える、
前記ＮＦＣコントローラによって、前記デバイスホストが前記ポーリングモードになく、前記フレームＲＦインターフェースが前記タイプ５プロトコルのために活性化されていないときに前記ステイ・クワイエット・コマンドが受信されるとの決定に基づいて、前記ＮＦＣデバイスの前記デバイスホストに状態エラーを送信するための手段と、前記状態エラーは、前記１つまたは複数のステイ・クワイエット要求が送信されないであろうことを示す、
を備える装置。
【請求項１１】
前記１つまたは複数のステイ・クワイエット要求の前記送信の完了に少なくとも部分的に基づいて、前記デバイスホストにステイ・クワイエット通知を送信するための手段と、
をさらに備える、請求項１０に記載の装置。
【請求項１２】
前記１つまたは複数のステイ・クワイエット要求は、少なくとも１つまたは複数のパラメータ値を使用するデータ交換プロトコルを使用して送信される、請求項１０に記載の装置。
【請求項１３】
前記１つまたは複数のパラメータ値は、ＲＦ技術およびモードパラメータのうちの１つまたは両方を含む、請求項１２に記載の装置。
【請求項１４】
近接場通信（ＮＦＣ）通信用ＮＦＣデバイスにおける１つまたは複数の信号の使用を可能にするための装置であって、
データを記憶するように構成されたメモリと、
前記メモリと通信可能に結合された１つまたは複数のプロセッサとを備え、ここにおいて、前記１つまたは複数のプロセッサおよび前記メモリは、
前記ＮＦＣデバイスのＮＦＣコントローラにおいて、前記ＮＦＣデバイスのデバイスホストからステイ・クワイエット・コマンドを受信することと、前記ステイ・クワイエット・コマンドは、１つまたは複数のリモートＮＦＣエンドポイントに対応する１つまたは複数の固有の識別子（ＵＩＤ）のリストおよびＵＩＤの数に関するフィールドを含むペイロードを備える、
前記ＮＦＣコントローラによって、前記ステイ・クワイエット・コマンドに少なくとも部分的に基づいて、前記デバイスホストにステイ・クワイエット応答を送信することと、前記ステイ・クワイエット応答は、前記ステイ・クワイエット・コマンドが受信されたことを示す、
前記デバイスホストがポーリングモードにあり、フレーム無線周波数（ＲＦ）インターフェースがタイプ５プロトコルのために活性化されたときに、前記ステイ・クワイエット・コマンドが受信されるかどうかを決定することと、
前記ＮＦＣコントローラによって、前記１つまたは複数のＵＩＤに少なくとも部分的に基づいて、および前記デバイスホストが前記ポーリングモードにあり、前記フレームＲＦインターフェースがタイプ５プロトコルのために活性化されたときに前記ステイ・クワイエット・コマンドが受信されるとの決定に基づいて、前記ＮＦＣデバイスの範囲内の前記１つまたは複数のリモートＮＦＣエンドポイントに１つまたは複数のステイ・クワイエット要求を送信することと、ここにおいて、前記１つまたは複数のステイ・クワイエット要求の各々は、前記１つまたは複数のリモートＮＦＣエンドポイントのうちの１つのリモートＮＦＣエンドポイントに対応する前記１つまたは複数のＵＩＤのうちの１つのＵＩＤを含むペイロードを備える、
前記ＮＦＣコントローラによって、前記デバイスホストが前記ポーリングモードになく、前記フレームＲＦインターフェースが前記タイプ５プロトコルのために活性化されていないときに前記ステイ・クワイエット・コマンドが受信されるとの決定に基づいて、前記ＮＦＣデバイスの前記デバイスホストに状態エラーを送信することと、前記状態エラーは、前記１つまたは複数のステイ・クワイエット要求が送信されないであろうことを示す、
を行うように構成される、装置。
【請求項１５】
前記１つまたは複数のプロセッサおよび前記メモリは、
前記ＮＦＣコントローラによって、前記１つまたは複数のステイ・クワイエット要求の前記送信の完了に少なくとも部分的に基づいて、前記デバイスホストにステイ・クワイエット通知を送信する
ようにさらに構成される、請求項１４に記載の装置。
【請求項１６】
前記１つまたは複数のステイ・クワイエット要求は、少なくとも１つまたは複数のパラメータ値を使用するデータ交換プロトコルを使用して送信される、請求項１４に記載の装置。
【請求項１７】
前記１つまたは複数のパラメータ値は、ＲＦ技術およびモードパラメータのうちの１つまたは両方を含む、請求項１６に記載の装置。
【請求項１８】
前記ＲＦ技術およびモードパラメータは、ＮＦＣ−Ｖ技術に対応する、請求項１７に記載の装置。
【請求項１９】
前記ＮＦＣコントローラは、リモートＮＦＣエンドポイントの前記数に対応するステイ・クワイエット要求の数を送信する、請求項１４に記載の装置。
【請求項２０】
前記ＮＦＣデバイスの範囲内の前記１つまたは複数のリモートＮＦＣエンドポイントの各々は、ＵＩＤを含み、前記１つまたは複数のステイ・クワイエット要求内の前記１つまたは複数のＵＩＤのうちの１つが前記ＵＩＤと一致すると決定することに少なくとも部分的に基づいて、クワイエット状態に入るように構成されている、請求項１４に記載の装置。
【請求項２１】
前記ステイ・クワイエット応答は、前記ステイ・クワイエット・コマンドが受信されたことを前記デバイスホストに示すステータス値を含む、請求項１４に記載の装置。
【請求項２２】
前記１つまたは複数のリモートＮＦＣエンドポイントは、リモートＮＦＣタグ、またはピアＮＦＣデバイス、または読取デバイス、またはライタデバイス、またはＮＦＣカードのうちの、少なくとも、１つまたは複数を含む、請求項１４に記載の装置。
【請求項２３】
近接場通信（ＮＦＣ）通信用ＮＦＣデバイスにおける１つまたは複数の信号の使用を可能にするための非一時的コンピュータ実行可能コードを記憶する、有形のコンピュータ可読媒体であって、
前記ＮＦＣデバイスのＮＦＣコントローラにおいて、前記ＮＦＣデバイスのデバイスホストからステイ・クワイエット・コマンドを受信するためのコードと、前記ステイ・クワイエット・コマンドは、１つのまたは複数のリモートＮＦＣエンドポイントに対応する１つまたは複数の固有の識別子（ＵＩＤ）のリストおよびＵＩＤの数に関するフィールドを含むペイロードを備える、
前記ＮＦＣコントローラによって、前記ステイ・クワイエット・コマンドに少なくとも部分的に基づいて、前記デバイスホストにステイ・クワイエット応答を送信するためのコードと、前記ステイ・クワイエット応答は、前記ステイ・クワイエット・コマンドが受信されたことを示す、
前記デバイスホストがポーリングモードにあり、フレーム無線周波数（ＲＦ）インターフェースがタイプ５プロトコルのために活性化されたときに、前記ステイ・クワイエット・コマンドが受信されるかどうかを決定するためのコードと、
前記ＮＦＣコントローラによって、前記１つまたは複数のＵＩＤに少なくとも部分的に基づいて、および前記デバイスホストが前記ポーリングモードにあり、前記フレームＲＦインターフェースがタイプ５プロトコルのために活性化されたときに前記ステイ・クワイエット・コマンドが受信されるとの決定に基づいて、前記ＮＦＣデバイスの範囲内の前記１つまたは複数のリモートＮＦＣエンドポイントに１つまたは複数のステイ・クワイエット要求を送信するためのコードと、ここにおいて、前記１つまたは複数のステイ・クワイエット要求の各々は、前記１つまたは複数のリモートＮＦＣエンドポイントのうちの１つのリモートＮＦＣエンドポイントに対応する前記１つまたは複数のＵＩＤのうちの１つのＵＩＤを含むペイロードを備える、
前記ＮＦＣコントローラによって、前記デバイスホストが前記ポーリングモードになく、前記フレームＲＦインターフェースが前記タイプ５プロトコルのために活性化されていないときに前記ステイ・クワイエット・コマンドが受信されるとの決定に基づいて、前記ＮＦＣデバイスの前記デバイスホストに状態エラーを送信するためのコードと、前記状態エラーは、前記１つまたは複数のステイ・クワイエット要求が送信されないであろうことを示す、
を備える、有形のコンピュータ可読媒体。
【請求項２４】
前記ＮＦＣコントローラによって、前記１つまたは複数のステイ・クワイエット要求の前記送信の完了に少なくとも部分的に基づいて、前記デバイスホストにステイ・クワイエット通知を送信するためのコード
をさらに備える、請求項２３に記載の有形のコンピュータ可読媒体。
【請求項２５】
前記１つまたは複数のステイ・クワイエット要求は、少なくとも１つまたは複数のパラメータ値を使用するデータ交換プロトコルを使用して送信される、請求項２３に記載の有形のコンピュータ可読媒体。
【請求項２６】
前記１つまたは複数のパラメータ値は、ＲＦ技術およびモードパラメータのうちの１つまたは両方を含む、請求項２５に記載の有形のコンピュータ可読媒体。
【発明の詳細な説明】
【関連出願の相互参照】
【０００１】
[0001]本願は、２０１４年１１月１８日に出願された「ENABLING USE OF STAY QUIET REQUESTS IN A NEAR FIELD COMMUNICATION DEVICE」と題された米国仮特許出願第６２／０８１，３９１号、および２０１５年１１月１６日に出願された「ENABLING USE OF STAY QUIET REQUESTS IN A NEAR FIELD COMMUNICATION DEVICE」と題された米国特許出願第１４／９４２，５９７号、の利益を主張し、それらは、その全体が本明細書に参照により明確に組み込まれる。
【背景技術】
【０００２】
[0002]開示された態様は、一般に、デバイス間および/またはデバイス内の通信に関し、具体的には近接場通信を改善すること、具体的にはステイ・クワイエット（stay quiet）要求の使用を可能にすることに関する。
【０００３】
[0003]技術の進歩は、より小型で、より強力なパーソナルコンピューティングデバイスをもたらした。例えば、それぞれ小型で、軽く、かつユーザによって容易に持ち運ばれることができる携帯用無線電話、携帯情報端末（ＰＤＡ）、およびページングデバイスなどの無線コンピューティングデバイスを含む様々な携帯用パーソナルコンピューティングデバイスが現在存在している。より具体的には、例えば、携帯用無線電話は、無線ネットワーク上で音声およびデータパケットを通信するセルラ電話をさらに含む。多くのこのようなセルラ電話は、絶えず増大するコンピューティング能力とともに製造され、したがって、小型のパーソナルコンピュータおよびハンドヘルドＰＤＡと同等になりつつある。さらに、このようなデバイスは、セルラ通信、無線ローカルエリアネットワーク（ＷＬＡＮ）通信、近接場通信（ＮＦＣ）等のような、様々な周波数および適用可能なカバレッジエリアを使用する通信を可能にしている。
【０００４】
[0004]いくつかのＮＦＣデバイスでは、通信リソースの非効率的および/または非効率的な操作または利用、特にステイ・クワイエット要求の使用を可能にすることに関連して、ＮＦＣデバイスと通信するデバイス間の通信が低下する可能性がある。より一層、上記非効率的および/または非効率的な操作が、より高い通信品質を実現することからＮＦＣデバイスを備えるユーザ機器を阻害し得る。したがって、ＮＦＣモード調整の改善が望まれ得る。
【発明の概要】
【０００５】
[0005]以下は、１つまたは複数の態様の概要を示し、そのような態様の基本的な理解を提供する。この概要は、企図されるすべての態様の広範な概観ではなく、また、すべての態様の主要または重要な要素を特定するようにも、任意またはすべての態様の範囲を定めるようにも意図されない。その目的は、後に示されるより詳細な説明への前置きとして、１つまたは複数の態様形式のいくつかの概念を示すことである。
【０００６】
[0006]態様によれば、本発明の方法は、ＮＦＣ通信用ＮＦＣデバイスに1つまたは複数のコマンドの使用を可能にすることに関する。説明する態様は、ＮＦＣコントローラにおいて、デバイスホストからステイ・クワイエット・コマンドを受信することを含み、ステイ・クワイエット・コマンドは、1つのまたは複数のリモートＮＦＣエンドポイントに対応する1つまたは複数の固有の識別子（ＵＩＤ）を含む。説明する態様は、さらに、ＮＦＣコントローラによって、ステイ・クワイエット・コマンドに少なくとも部分的に基づいて、デバイスホストにステイ・クワイエット応答を送信することを含む。
【０００７】
[0007]別の態様では、コンピュータ実行可能コードを記憶する本願のコンピュータ可読媒体は、ＮＦＣ通信用ＮＦＣデバイスにおける1つまたは複数のコマンドの使用を可能にすることに関する。説明する態様は、ＮＦＣコントローラにおいて、デバイスホストからステイ・クワイエット・コマンドを受信するためのコードを含み、ステイ・クワイエット・コマンドは、1つのまたは複数のリモートNFCエンドポイントに対応する1つまたは複数のＵＩＤを含む。説明する態様は、さらに、ＮＦＣコントローラによって、ステイ・クワイエット・コマンドに少なくとも部分的に基づいて、デバイスホストにステイ・クワイエット応答を送信するためのコードを含む。
【０００８】
[0008]さらなる態様では、本装置は、ＮＦＣ通信用ＮＦＣデバイスに1つまたは複数のコマンドの使用を可能にすることに関する。説明する態様は、ＮＦＣコントローラにおいて、デバイスホストからステイ・クワイエット・コマンドを受信するための手段を含み、ステイ・クワイエット・コマンドは、1つまたは複数のリモートＮＦＣエンドポイントに対応する1つまたは複数のＵＩＤを含む。説明する態様は、さらに、ＮＦＣコントローラによって、ステイ・クワイエット・コマンドに少なくとも部分的に基づいて、デバイスホストにステイ・クワイエット応答を送信するための手段を含む。
【０００９】
[0009]別の態様では、本装置は、ＮＦＣ通信用ＮＦＣデバイスに1つまたは複数のコマンドの使用を可能にすることに関する。説明する態様は、トランシーバと、データを格納するように構成されたメモリと、トランシーバとメモリに通信可能に結合された1つまたは複数のプロセッサを含み、１つまたは複数のプロセッサとメモリは、ＮＦＣコントローラにおいて、デバイスホストからステイ・クワイエット・コマンドを受信するように構成され、ステイ・クワイエット・コマンドは、1つまたは複数のリモートＮＦＣエンドポイントに対応する1つまたは複数のＵＩＤを含む。説明する態様は、さらに、ＮＦＣコントローラによって、ステイ・クワイエット・コマンドに少なくとも部分的に基づいて、デバイスホストにステイ・クワイエット応答を送信することを含む。
【００１０】
[0010]本開示の様々な態様および特徴は、添付の図面に示されるように、その様々な実施例を参照して以下にさらに詳細に説明される。本開示は、様々な実施例を参照して以下に説明されるが、本開示はそれに限定されないことが理解されるべきである。本明細書の教示にアクセスする当業者は、本明細書に説明された本開示の範囲内であり、本開示がかなり有用である点について、追加の実装、修正、実施例並びに使用の他の分野を認識するであろう。
【００１１】
[0011]本開示の特徴、特性、および利点は、同様の参照文字が全体にわたって対応を示して識別する図面と共に考慮された場合、以下に記載する詳細な説明からより明らかになろう、ここで破線は追加のコンポーネントまたは動作を示す。
【図面の簡単な説明】
【００１２】
【図１】[0012]図１は、本開示の態様にしたがった無線通信システムのブロック図である。
【図２】[0013]図２は、本開示のある態様にしたがった無線通信システムの回路図である。
【図３】[0014]図3は、本開示の態様にしたがったＮＦＣ環境のブロック図である。
【図４】[0015]図４は、本開示の態様に基づいて、ＮＦＣモードを調整する態様を説明するフローチャートである。
【図５】[0016]図5は、本開示の態様にしたがってＮＦＣモードを調整する態様を説明するフローチャートである。
【図６】[0017]図６は、本開示の態様にしたがったＮＦＣモードを調整する態様を説明する概念図である。
【図７】[0018]図7は、本開示の態様にしたがった別のＮＦＣ環境のブロック図である。
【図８】[0019]図8は、本開示の態様にしたがった通信デバイスの例示的なアーキテクチャの機能ブロック図である。
【図９】[0020]図9は、処理システムを採用する装置のためのハードウェア実装の例を示す図である。
【詳細な説明】
【００１３】
[0021]多様な態様が、これから図面を参照して説明される。以下の記述では、説明の目的で、多くの特定の詳細が、１つまたは複数の態様についての完全な理解を提供するために記載される。しかしながら、このような（複数を含む）態様は、これら特定の詳細なしで実現されうることが理解されるべきである。
【００１４】
[0022]本態様は、一般に、ＮＦＣデバイス間のステイ・クワイエット要求の使用を可能にすることに関する。具体的には、ＮＦＣフォーラムの仕様で定義されたコマンドは、2つの別個のカテゴリ、リモート・デバイスを検出、活性化、および非活性化するために使用されるコマンド、および一度活性化されたリモート・デバイスと通信するために使用されているコマンド、に対応し得る。最初のカテゴリは、通常、「デジタル・プロトコル」で定義され 、それが使用することができたときのためのルールは、「アクティビティ」にある。例えば、現在の仕様では、「ＳＬＰＢ＿ＲＥＱ」および 「ＳＬＰＢ＿ＲＥＳ」は、デジタル・プロトコルのＮＦＣ―Ｂ技術のセクションで定義され、その使用は、アクティビティの衝突解決（ＮＦＣ―Ｂ）のセクションで定義されています。第二のカテゴリーは、通常、「操作」仕様で定義され、常に半二重方式で使用され、第１のカテゴリよりも上位レイヤであると考えられます。
【００１５】
[0023]新しい技術（「ＮＦＣ―Ｖ」、それは、ＩＳＯ／ＩＥＣ１５６９３仕様に基づいており、）を含むようにデジタル・プロトコルへの提案された変更では、「ＳＬＰＶ＿ＲＥＱ」と呼ばれる新しい定義されたコマンドがある。しかしながら、ＳＬＰＶ＿ＲＥＱは、アクティビティで使用されない。さらに、ＳＬＰＶ＿ＲＥＱは応答がなく、したがって半二重ではないので、第２のカテゴリに属すると考えることはできない。したがって、現時点では、ＳＬＰＶ＿ＲＥＱを使用するためのメカニズムが定義されておらず、ＮＣＩ仕様ではサポートされていない必須コマンドがある。デバイスは、活性化または非活性化の一部としてそれを送信することも、データとして送信することもできない。
【００１６】
[0024]したがって、いくつかの態様では、本発明の態様は、ＮＦＣデバイス間のステイ・クワイエット要求の使用を可能にするために、現在のソリューションと比較して、効率的かつ効果的な解決策を提供し得る。言い換えると、ＮＦＣデバイスは、活性化または非活性化の一部として、またはデータとして、ステイ・クワイエット要求を送信し得る。このように、本態様は、ＮＦＣコントローラにおいて、デバイスホストからのステイ・クワイエット・コマンドを受信し、ステイ・クワイエット・コマンドは、1つのまたは複数のリモートＮＦＣエンドポイントに対応する1つまたは複数の固有の識別子（ＵＩＤ）を含む、前記NFCコントローラによって、ステイ・クワイエット・コマンドに少なくとも部分的に基づいてデバイスホストにステイ・クワイエット応答を送信するための1つまたは複数のメカニズムを提供する。
【００１７】
[0025]本開示の態様は、本明細書で説明される動作または機能を行い得る１つまたは複数のコンポーネントおよび１つまたは複数の方法を参照して描かれる。ある態様では、本明細書で使用される「コンポーネント」という用語は、システムを構成する部分のうちの１つであり得、ハードウェアまたはソフトウェア、あるいはこれらのいくつかの組み合わせであり得、他のコンポーネントに分割され得る。本明細書で説明される動作は特定の順序で、および／または例示的なコンポーネントによって実行されているとして示されるが、動作および動作を実行するコンポーネントの順序は、実装に応じて変化され得ると理解されるべきである。さらに、以下の動作または機能は、特別にプログラムされたプロセッサ、特別にプログラムされたソフトウェアまたはコンピュータ可読媒体を実行するプロセッサによって、または説明される動作または機能を実行することができるハードウェアコンポーネントおよび／またはソフトウェアコンポーネントの任意の他の組み合わせによって実行され得ると理解されるべきである。
【００１８】
[0026]図１は、本明細書で説明する様々な態様による、ワイヤレス送信または充電システム１００を示す。いくつかの態様では、送信機１０４は、本明細書で説明されるようなステイ・クワイエット・コマンドの使用を可能にするように構成されたＮＦＣデバイス３１０（図３）の一部として含まれ得る。具体的には、例えば、送信機１０４は、トランシーバ３６０（図３）を形成するか、さもなければトランシーバ３６０の一部であり得る。さらに、送信アンテナは、形成する、そうでなければ、アンテナ３７０（図３）の一部であり得る。入力電力１０２は、エネルギー伝達を提供するために放射された誘導フィールド１０６を生成するために送信機１０４に供給される。受信機１０８は放射された誘導フィールド１０６に結合し、出力電力１１０に結合されたデバイス（図示せず）による再充電または消費のための出力電力１１０を生成する。送信機１０４と受信機１０８の両方は距離１１２だけ離れており、本明細書では動作ボリューム（ＯＶ）とも呼ばれる。一例では、送信機１０４および受信機１０８は、受信機１０８の共振周波数と送信機１０４の共振周波数が閾値ＯＶ内にあり、送信機１０４と受信機１０８との間の伝送損失が最小（例えば、受信機１０８が放射された誘導フィールド１０６の「近接場」に位置する場合）である場合、相互共振関係に従って構成される。
【００１９】
[0027]送信機１０４は、エネルギーおよび信号を送信するための送信アンテナ１１４をさらに含む。受信機１０８は、必要に応じて信号およびエネルギーを受信するための受信アンテナ１１８を含む。送信アンテナ１１４および受信アンテナ１１８は、それに関連するアプリケーションおよびデバイスに従ってサイズを決定することができる。上述したように、効率的なエネルギー伝達は、電磁波中のエネルギーの大部分を遠方場に伝播するのではなく、送信アンテナ１１４の近接場におけるエネルギーの大部分を受信アンテナ１１８に結合することによって生じ得る。この近接場では、送信アンテナ１１４と受信アンテナ１１８との間に結合モードが発生することがある。この近接場結合が起こり得るアンテナ１１４および１１８の周りの領域は、ここでは結合モード領域として本明細書に参照される。
【００２０】
[0028]送信機１０４と受信機１０８とが非常に近接しているいくつかの構成では、信号を処理するアンテナ１１４および１１８に関連する整合ネットワーク（図示せず）は、送信機１０４と受信機１０８との間で通信される信号の高い相互結合により、離調となり、したがって、送信機１０４と受信機１０８との間の通信が故障し得る。図２は、例示的近接場無線通信システム２００の概略図である。送信機１０４は、発振器２２２、電力増幅器２２４と、フィルタおよび整合回路２２６を含む。いくつかの態様では、送信機１０４は、本明細書で説明されるようなステイ・クワイエット・コマンドの使用を可能にするように構成されるNFCデバイス３１０（図３）の一部として含まれ得る。具体的には、例えば、送信機１０４は、トランシーバ３６０（図３）を形成するか、さもなければトランシーバ３６０の一部であり得る。さらに、送信アンテナは、さもなければ、アンテナ３７０（図３）の一部であり得る。発振器２２２は、調整信号２２３に応答して調整され得る、所望の周波数の信号を生成するように構成される。発振信号は、制御信号２２５に応答する増幅量で電力増幅器２２４によって増幅され得る。フィルタおよび整合回路２２６は、高調波または他の望ましくない周波数を濾波し、送信機１０４のインピーダンスを送信アンテナ１１４に整合させるために含まれてもよい。
【００２１】
[0029]受信機１０８は、図２に示すようにバッテリ２３６を充電するためにＤＣ電力出力を生成するために、整合回路２３２と整流器およびスイッチング回路２３４とを含み得、または磁界によって給電が必要とされないように、デバイスは、それぞれ（例えば、ピア・ツー・ピア通信において、）電池を有していてもよいことを理解すべきであるが、受信機（図示せず）に結合されたデバイスに電力を供給する。整合回路２３２は、受信機１０８のインピーダンスを受信アンテナ１１８に整合させるために含まれてもよい。受信機１０８および送信機１０４は、例えば、別々の通信チャネル２１９（例えば、ブルートゥース（登録商標）、ＷｉＦｉ、ジグビー、セルラーなど）で通信し得る。
【００２２】
［0030］図３を参照すると、一態様では、通信ネットワーク３００は、ＮＦＣデバイス３１０とリモートＮＦＣデバイス３８０を含み得、両方は、ＮＦＣを使用して通信するように構成され得る。NFCデバイス３１０は、トランシーバ３６０およびアンテナ３７０を含み得、各々は、ＮＦＣを使用してリモートＮＦＣデバイス３８０との通信を容易にするように構成され得る。例えば、リモートＮＦＣデバイス３８０は、ＮＦＣ無線インターフェースを介してＮＦＣデバイス３１０に無線で接続されたリモート・デバイス、カード、またはタグに対応し得る。ＮＦＣデバイス３１０は、ＮＦＣコントローラ３４０を介して、デバイスホスト３２０とＮＦＣコントローラ３４０との間でステイ・クワイエット・コマンドの使用を効果的に可能にするように構成され得る。
【００２３】
[0031] デバイスホスト３２０は、ＮＦＣコントローラ・インターフェース（ＮＣＩ）３３０を介してＮＦＣコントローラ３４０にステイ・クワイエット・コマンド３３４を供給するか、またはそうでなければ送信するように構成され得る。いくつかの態様では、ステイ・クワイエット・コマンド３３４は、ＮＦＣコントローラ３４０に、１つまたは複数のリモートＮＦＣデバイス３８０へ１つまたは複数のステイ・クワイエット要求３５２を送信させ得る。さらに、デバイスホスト３２０は、ＮＦＣデバイス３１０および任意の周辺機器の全体的な管理を担う実行環境の形態であり得るし、さもなければ、実行環境の形態を取り得る。これは、ＮＦＣコントローラ３４０の管理（例えば、初期化、構成、電力管理など）を含み得る。
【００２４】
[0032]ＮＣＩ３３０は、少なくとも、デバイスホスト３２０とＮＦＣコントローラ３４０との間の通信を容易にするように構成され得る。例えば、ＮＣＩ３３０は、デバイスホスト３２０とＮＦＣコントローラ３４０との間の論理インターフェースであり得る。具体的には、ＮＣＩ３３０は、デバイスホスト３２０からＮＦＣコントローラ３４０への1つまたは複数のステイ・クワイエット・コマンド３３４、および1つまたは複数のステイ・クワイエット応答３５４、および/またはＮＦＣコントローラ３４０からデバイスホスト３２０へのステイ・クワイエット通知３５６の送信を容易にするように構成され得る。
【００２５】
[0033]ＮＦＣコントローラ３４０は、デバイスホスト３２０からステイ・クワイエット・コマンド３３４を受信するように構成され得る。いくつかの例では、ステイ・クワイエット・コマンド３３４は、ＮＦＣコントローラ３４０に1つまたは複数のステイ・クワイエット要求３５２を1つまたは複数のリモートＮＦＣデバイス３８０に送信させる。例えば、ＮＦＣコントローラ３４０は、ＮＦＣ無線インタフェースを介したデータの送信を担う論理エンティティであり得る。ＮＦＣコントローラ３４０は、デバイスホスト３２０への接続を有し得、追加のＮＦＣ実行環境（ＮＦＣＥＥｓ）への接続を有し得る。いくつかの例では、ステイ・クワイエット・コマンド３３４は、固有の識別子（ＵＩＤ）の数のためのフィールドと、リモートＮＦＣデバイス３８０の1つまたは複数に対応する1つまたは複数のＵＩＤのリストを含むペイロードを備え得る。ＵＩＤは、ＮＦＣデバイス３１０が通信している、および/または近接しているリモートＮＦＣデバイス３８０のそれぞれを識別するように構成され得る。デバイスホスト３２０は、ＮＦＣコントローラ・インターフェース３３０を介して単一のステイ・クワイエット・コマンド３３４をＮＦＣコントローラ３４０に送信し得、ここで、ステイ・クワイエット・コマンド３３４は、ＮＦＣコントローラ３４０に、対応する複数のステイ・クワイエット要求３５２を、複数のＵＩＤに対応する複数のリモートＮＦＣデバイス３８０へ送信させ得る複数のＵＩＤを含む。ステイ・クワイエット・コマンド３３４が単一のＵＩＤのみを含む場合、単一のステイ・クワイエット・コマンド３３４は、ＵＩＤに対応する単一のリモートＮＦＣデバイス３８０に対応して送信され得る。
【００２６】
[0034]いくつかの例では、デバイスホスト３２０は、特定の状況が満たされた場合にのみ、ステイ・クワイエット・コマンド３３４を送信し得る。例えば、デバイスホスト３２０は、デバイスホスト３２０がポーリングモードにある場合およびフレームＲＦインターフェースがタイプ５プロトコルに対して活性化された場合にのみ、ステイ・クワイエット・コマンド３３４を送信するように構成され得る。特定の態様では、タイプ５プロトコルが活性化される場合、ＮＦＣデバイス３１０は、タイプ５タグ・プラットフォームを実装する任意のデバイスと通信するように構成され得る。
【００２７】
[0035]一態様では、ＮＦＣコントローラ３４０は、ステイ・クワイエット・コマンド３３４に少なくとも部分的に基づいてステイ・クワイエット応答３５４を送信するように構成され得る。例えば、ＮＦＣコントローラ３４０がステイ・クワイエット・コマンド３３４を受信すると、それは、最初に1つまたは複数のステイ・クワイエット要求３５２を1つまたは複数のリモートＮＦＣデバイス３８０に送信するか、または最初にステイ・クワイエット応答３５４をデバイスホスト３２０に送信するかの何れかをするように構成され得る。ＮＦＣコントローラ３４０が最初に1つまたは複数のステイ・クワイエット要求３５２を1つまたは複数のリモートＮＦＣデバイス３８０へ送信する場合、1つまたは複数のステイ・クワイエット要求３５２の各々は、ペイロードで構成され得る。例えば、ペイロードは、1つまたは複数のリモートＮＦＣデバイス３８０のそれぞれに対応する１つまたは複数のＵＩＤのリストおよびＵＩＤの数に関するフィールドを含み得る。また、ステイ・クワイエット要求３５２は、デジタルプロトコルを定義した固定値に設定されたバイト１―２、ＲＦフィールドへのコマンドパラメータで指定されるように設定されたバイト３−１０で構成され得る。ある例では、１つのステイ・クワイエット要求３５２は、通信している、および/またはＮＦＣデバイス３１０の近傍にある、各リモートＮＦＣデバイス３８０に送信され得る。そのように、各ステイ・クワイエット要求３５２は、ステイ・クワイエット要求３５２が送信されている、リモートＮＦＣデバイス３８０のＵＩＤを含むペイロードを備え得る。ＮＦＣコントローラ３４０が最初にステイ・クワイエット応答３５４をデバイスホスト３２０に送信する場合、ステイ・クワイエット応答３５４は、ステータス値を含むペイロードを備え得る。ステータス値は、デバイスホスト３２０に対して、ステイ・クワイエット・コマンド３３４が受信されたことを示し得る。さらに、ＮＦＣコントローラ３４０がある状況の1つまたは両方が満たされない場合（例えば、デバイスホスト３２０がポーリングモードにない場合、またはフレームＲＦインターフェイスがタイプ５プロトコルに対して活性化されていない場合）、ＮＦＣコントローラ３４０が、ステイ・クワイエット・コマンド３３４を受信するならば、ＮＦＣコントローラ３４０は、状態エラー（例えば、意味エラー）を送信し得る。さらに、ＮＦＣコントローラ３４０は、1つまたは複数のリモートＮＦＣデバイス３８０への1つまたは複数のステイ・クワイエット要求３５４の送信の完了に少なくとも部分的に基づいて、ステイ・クワイエット通知３５６をデバイスホスト３２０に送信し得る。ある例において、ステイ・クワイエット要求３５２は、少なくとも、１つまたは複数のパラメータ値を利用するデータ交換プロトコルを使用して送信される。１つまたは複数のパラメータ値は、ＮＦＣ―Ｖ技術を含む、ＲＦ技術モードパラメータの一方または両方を含み得る。
【００２８】
[0036]図４を参照すると、使用可能な態様において、ＮＦＣデバイス３１０（図３）などのＮＦＣデバイスは、デバイスホストおよびＮＦＣコントローラの間でステイ・クワイエット・コマンドの使用を可能にするために方法４００の１つの態様を実行し得る。説明の簡略化の目的で、方法は一連の動作として説明および示されているが、いくつかの動作が、１つまたは複数の態様に従って、ここに説明および示されるものとは異なる順序で、および／または、他の動作と同時に起こりうるので、方法（およびさらなるこれらに関連付けられる方法）は、動作の順序によって限定されないことが理解および諒解されるべきである。たとえば、方法は、状態図など、一連の相互に関係する状態またはイベントとして代替的に表現され得ることを諒解されたい。さらに、本明細書に説明された１つまたは複数の特徴に従って方法を実装するために、必ずしも例示されたすべての動作が必要とされる訳ではない。
【００２９】
[0037]一態様では、ブロック４１０において、方法４００は、ＮＦＣコントローラにおいて、デバイスホストからステイ・クワイエット・コマンドを受信し得、ステイ・クワイエット・コマンドは、1つまたは複数のリモートＮＦＣエンドポイントに対応する1つまたは複数の固有の識別子（ＵＩＤ）を含む。例えば、本明細書で説明するように、ＮＦＣデバイス３１０（図３）は、例えば、1つまたは複数のバスまたは通信接続を介して、デバイスホスト３２０からステイ・クワイエット・コマンド３３４を受信するためにＮＦＣコントローラ３４０（図３）を起動し得、ステイ・クワイエット・コマンド３３４は、１つまたは複数のリモートＮＦＣエンドポイント３８０に対応する1つまたは複数の固有の識別子（ＵＩＤ）を含む。
【００３０】
[0038]ブロック４２０において、方法４００は、ＮＦＣコントローラによって、ステイ・クワイエット・コマンドに少なくとも部分的に基づいて、デバイスホストにステイ・クワイエット応答を送信し得る。例えば、本明細書で説明するように、ＮＦＣデバイス３１０（図３）は、ステイ・クワイエット・コマンド３３４に少なくとも部分的に基づいてデバイスホスト３２０へステイ・クワイエット応答３５４を、例えば、１つまたは複数のバスまたは通信結合を介して送信するために、ＮＦＣコントローラ３４０（図３）を起動し得る。
【００３１】
[0039]ブロック４３０において、方法４００は、随意に、ＮＦＣコントローラによって、１つまたは複数のＵＩＤに少なくとも部分的に基づいて、ＮＦＣデバイスの範囲内の1つまたは複数のＮＦＣエンドポイントに１つまたは複数のステイ・クワイエット要求を送信し得る。例えば、本明細書に説明されるように、ＮＦＣデバイス３１０（図３）は、例えば、１つまたは複数のバスまたは通信結合およびトランシーバ３６０およびアンテナ３７０を介して、１つまたは複数のＵＩＤに少なくとも部分的に基づいてＮＦＣデバイス３１０の範囲内の、１つまたは複数のＮＦＣエンドポイント、例えばリモートＮＦＣデバイス３８０へ１つまたは複数のステイ・クワイエット要求３５２を送信するために、ＮＦＣコントローラ３４０（図３）を起動し得る。ある例では、1つまたは複数のステイ・クワイエット要求３５２は、ＵＩＤがステイ・クワイエット要求３５２の1つにおけるＵＩＤに一致するＮＦＣデバイス３１０の範囲内にある1つまたは複数のリモートＮＦＣデバイス３８０に、クワイエット状態に入り、ＮＦＣデバイス３１０からの後続の通信の一部または全部を無視させ得る。
【００３２】
[0040]ブロック４４０において、方法４００は、随意に、ＮＦＣコントローラによって、１つまたは複数のステイ・クワイエット要求の送信の完了に少なくとも部分的に基づいて、デバイスホストにステイ・クワイエット通知を送信し得る。例えば、本明細書に説明されるように、ＮＦＣデバイス ３１０（図３）は、１つまたは複数のステイ・クワイエット要求３５６の送信の完了の少なくとも部分的に基づいて、デバイスホスト３２０に、例えば、１つまたは複数のバスまたは通信結合を介して、ステイ・クワイエット通知３５６を送信するために、ＮＦＣコントローラ３４０（図３）を起動し得る。
【００３３】
[0041]図５を参照すると、使用可能な態様において、ＮＦＣデバイス３１０（図３）などのＮＦＣデバイスは、デバイスホストおよびＮＦＣコントローラの間でステイ・クワイエット・コマンドの使用を可能にするための方法５００の１つの態様を実行し得る。ある態様において、方法５００は、ステイ・クワイエット要求および通知を送信するかどうかを決定するために、ＮＦＣデバイスに、チェックを確立することを可能にするように構成され得る。説明の簡略化の目的で、方法は一連の動作として説明および示されているが、いくつかの動作は、１つまたは複数の態様に従って、ここに説明および示されるものとは異なる順序で、および／または、他の動作と同時に起こりうるので、これら方法は動作の順序によって限定されないことが理解および諒解されるべきである。たとえば、方法は、状態図など、一連の相互に関係する状態またはイベントとして代替的に表現され得ることを諒解されたい。さらに、本明細書で説明された、１つまたは複数の特徴に従って方法を実装するために、必ずしも例示されたすべての動作が必要とされ得る訳ではない。
【００３４】
[0042]一態様では、ブロック５０２において、方法５００は、ＮＦＣコントローラにおいて、デバイスホストからステイ・クワイエット・コマンドを受信し得、ステイ・クワイエット・コマンドは、1つまたは複数のリモートＮＦＣエンドポイントに対応する1つまたは複数の固有の識別子（ＵＩＤ）を含む。例えば、本明細書で説明するように、ＮＦＣデバイス３１０（図３）は、例えば、1つまたは複数のバスまたは通信接続を介して、デバイスホスト３２０からステイ・クワイエット・コマンド３３４を受信するためにＮＦＣコントローラ３４０（図３）を起動し得、ステイ・クワイエット・コマンド３３４は、1つまたは複数のリモートＮＦＣエンドポイント３８０に対応する1つまたは複数の固有の識別子（ＵＩＤ）を含む。
【００３５】
[0043]ブロック５０４において、方法５００は、ＮＦＣコントローラによって、ステイ・クワイエット・コマンドに少なくとも部分的に基づいて、デバイスホストにステイ・クワイエット応答を送信し得る。例えば、本明細書で説明するように、ＮＦＣデバイス３１０（図３）は、例えば、1つまたは複数のバスまたは通信結合を介して、ステイ・クワイエット・コマンド３３４に少なくとも部分的に基づいてデバイスホスト３２０へステイ・クワイエット応答３５４を送信するためにＮＦＣコントローラ３４０（図３）を起動し得る。
【００３６】
[0044]ブロック５０６において、方法５００は、1つまたは複数のリモートNFCデバイスがＮＦＣデバイスの範囲内にあるかどうかを決定し得る。例えば、本明細書で説明するように、ＮＦＣデバイス３１０（図３）が、1つまたは複数のリモートＮＦＣデバイス３８０がＮＦＣデバイス３１０の範囲内にあると決定し得る。例えば、ＮＦＣデバイス３１０が、1つまたは複数のリモートＮＦＣデバイス３８０がＮＦＣデバイス３１０の範囲内にあると決定する場合、方法５００は、ブロック５０８に進み得る。しかしながら、ＮＦＣデバイス３１０が、1つまたは複数のリモートＮＦＣデバイス３８０がＮＦＣデバイス３１０の範囲内にないと決定する場合、方法５００は、ブロック５０６に留まり得る。ＮＦＣデバイスおよびリモートＮＦＣデバイスは、空心変圧器と同様に、ＮＦＣアンテナコイルである一次コイルおよびリモートＮＦＣデバイスのアンテナコイルである二次コイルを伴う、それらの相互インダクタンス（mutual inductance）によってリンクされ得る。交番磁界は、リモートＮＦＣデバイスのアンテナコイルに交流電流を誘導して、近接場領域にある場合、リモートＮＦＣデバイスのアンテナコイルを貫通する。
【００３７】
[0045]ブロック５０８において、方法５００は、ＮＦＣコントローラによって、ＮＦＣデバイスの範囲内の1つまたは複数のＮＦＣエンドポイントに１つまたは複数のステイ・クワイエット要求を送信し得る。例えば、本明細書に説明されるように、ＮＦＣデバイス３１０（図３）は、1つまたは複数のバスまたは通信結合およびトランシーバ３６０およびアンテナ３７０を介して、１つまたは複数のＵＩＤに少なくとも部分的に基づいてＮＦＣデバイス３１０の範囲内の1つまたは複数のＮＦＣエンドポイント（例えば、リモートＮＦＣデバイス３８０）に１つまたは複数のステイ・クワイエット要求３５２を送信するためにＮＦＣコントローラ３４０（図３）を起動し得る。ある例において、1つまたは複数のステイ・クワイエット要求３５２は、ステイ・クワイエット要求３５２の1つにおけるＵＩＤとＵＩＤが一致するＮＦＣデバイス３８０の範囲内の1つまたは複数のリモートＮＦＣデバイス３８０に、クワイエット状態に入らせ、ＮＦＣデバイス３１０からの後続の通信の一部または全部を無視させ得る。
【００３８】
[0046]ブロック５１０において、方法５００は、1つまたは複数のステイ・クワイエット要求の送信が完了したかどうかを決定し得る。例えば、本明細書で説明するように、ＮＦＣデバイス３１０（図３）は、1つまたは複数のステイ・クワイエット要求３５６の送信が完了したかどうかを決定し得る。1つの態様では、ＮＦＣデバイス３１０は、ＮＦＣエンドポイントの1つまたは複数から受信した信号、またはステイ・クワイエット要求が受信されているべきことを示すタイマーの満了の何れかに基づいて、ステイ・クワイエット要求３５６の完了を決定し得る。例えば、ＮＦＣデバイス３１０が、1つまたは複数のステイ・クワイエット要求３５６の送信が完了したと決定する場合、方法５００はブロック５１２に進み得る。しかしながら、1つまたは複数のステイ・クワイエット要求３５６の送信が完了されないと決定する場合、方法５００はブロック５０８に留まり得る。
【００３９】
[0047]ブロック５１２において、方法５００は、ＮＦＣコントローラによって、１つまたは複数のステイ・クワイエット要求の送信の完了に少なくとも部分的に基づいて、デバイスホストにステイ・クワイエット通知を送信し得る。例えば、本明細書で説明されるように、ＮＦＣデバイス３１０（図３）は、例えば、１つまたは複数のバスまたは通信結合を介して、１つまたは複数のステイ・クワイエット要求３５６の送信の完了に少なくとも部分的に基づいてデバイスホスト３２０へステイ・クワイエット通知３５６を送信するためにＮＦＣコントローラ３４０（図３）を起動し得る。
【００４０】
[0048]図６は、例えば、ステイ・クワイエット要求および通知に限定されない等、ＮＦＣ通信用ＮＦＣデバイスにおける1つまたは複数の信号の使用を可能にするための例を有するブロック図６００を例示する。例えば、一態様では、ＮＦＣデバイス６０２は、デバイスホスト６０４とＮＦＣコントローラ６０６を含み得、例えば、ＮＦＣエンドポイント６０８および６１０等、１つまたは複数のＮＦＣエンドポイントの範囲内にあり得る。一態様では、ＮＦＣデバイス６１０、デバイスホスト６０８およびＮＦＣコントローラ６０６は、ＮＦＣデバイス３１０（図３）、デバイスホスト３２０およびＮＦＣコントローラ３４０と同様または同じであり得る。さらに、ＮＦＣエンドポイント６０８および６１０は、リモートＮＦＣデバイス３８０（図３）と同様または同じであり得る。
【００４１】
[0049]１つの態様では、例えば、デバイスホスト６０４は、ＮＦＣコントローラ６０６にステイ・クワイエット・コマンド６１２を送信し得る。例えば、ステイ・クワイエット・コマンド６１２は、ＮＦＣエンドポイント６０８および/または６１０など、1つまたは複数のＮＦＣエンドポイントに対応する1つまたは複数のＵＩＤを含み得る。ステイ・クワイエット・コマンド６１２に応答して、ＮＦＣコントローラ６０６は、ステイ・クワイエット応答６１４をデバイスホスト６０４に送信し得る。ステイ・クワイエット応答６１４を送信した後、ＮＦＣコントローラ６０６は、１つまたは複数のＮＦＣエンドポイントに１つまたは複数のステイ・クワイエット要求を送信し得る。例えば、ＮＦＣコントローラ６０６は、ＮＦＣエンドポイント６０８にステイ・クワイエット要求６１６を、ＮＦＣエンドポイント６１０にステイ・クワイエット要求６１８を送信し得る。ＮＦＣコントローラ６０６は、ステイ・クワイエット要求６１６および６１８を同時に、または共に、または順番に送信し得る。さらに、ＮＦＣデバイス６０２および/またはＮＦＣコントローラ６０６は、１つまたは複数のステイ・クワイエット要求の送信が完了したかどうかを決定し得る。例において、ＮＦＣデバイス６０２および/またはＮＦＣコントローラ６０６は、肯定応答信号が１つまたは複数のＮＦＣエンドポイントから受信される場合、１つまたは複数のステイ・クワイエット要求の送信が完了されると決定し得る。この場合、ＮＦＣデバイス６０２および/またはＮＦＣコントローラ６０６は、ＮＦＣエンドポイント６０８および６１０、それぞれから肯定応答信号６２０および６２４を受信し得る。１つまたは複数のステイ・クワイエット要求の完了に応答して、ＮＦＣコントローラ６０６は、デバイスホスト６０４に、１つまたは複数のステイ・クワイエット要求の各々に対応するステイ・クワイエット通知を送信し得る。例えば、肯定応答信号６２０および６２４を受信すると、ＮＦＣコントローラ６０６は、デバイスホスト６０４にステイ・クワイエット通知をそれぞれ送信し得る。
【００４２】
[0050]図７を参照すると、一態様による、通信ネットワーク７００のブロック図が例示される。通信ネットワーク７００は、ＮＦＣを使用して通信するように構成され得るリモートＮＦＣデバイス７０４とＮＦＣデバイス７０２とを含み得る。ＮＦＣデバイス７０２は、同様のＮＦＣコイル７２６を有し得る、リモートＮＦＣデバイス７０４とのＮＦＣ通信を容易にするように構成されたＮＦＣアンテナコイル７０６を含み得る。ＮＦＣデバイス７０２は、本明細書で説明されるようなステイ・クワイエット・コマンドの使用を可能にするように構成されたＮＦＣデバイス３１０（図３）と同じまたは同様であり得る。例えば、ＮＦＣデバイス７０２は、デバイスホスト７３０、ＮＦＣコントローラ・インターフェース７４０およびＮＦＣコントローラ７５０を含み得る。さらに、リモートＮＦＣデバイス７０４は、リモートＮＦＣデバイス３８０（図３）と同じまたは同様であり得る。
【００４３】
[0051]ＮＦＣ通信の一環として、ＮＦＣアンテナコイル７０６は、ＮＦＣアンテナコイル７０６の周囲のエリアに、電磁場を生成し得る。場の強度（strength of the field）は、ＮＦＣアンテナコイル７０６のサイズおよび巻き数、並びに電力ソースに基づき得る。更に、インピーダンス不整合（impedance mismatches）は、磁場７２８におけるＮＦＣアンテナコイル７０６のインダクタンスおよびサイズに左右される様々な振幅／位相変更（amplitude／phase changes）の範囲を引き起こし得る。キャパシタ７１８は、ＮＦＣアンテナコイル７０６と並列に接続され得、ここで送信機コンポーネント７１２およびキャパシタ７１８は、ＮＦＣデバイス７０２の１つまたは複数の送信周波数に対応する周波数を用いて共振回路（resonant circuit）を確立するＲＬＣ発振器を形成し得る。
【００４４】
[0052]使用される周波数の波長は、ＮＦＣアンテナコイル７０６とリモートＮＦＣデバイス７０４のアンテナコイル７２６との間の近接近距離（the close proximity distance）より数倍大きいので、電磁場は交流磁場（alternating magnetic field）728として扱われることができる。この近接近領域（region of close proximity）は、近接場領域（near field region）と称される。ＮＦＣデバイス７０２およびリモートＮＦＣデバイス７０４は、空芯変圧器内でのように、ＮＦＣアンテナコイル７０６である一次コイルおよびリモートＮＦＣデバイス７０４のアンテナコイル７２６である二次コイルを伴う、それらの相互インダクタンスによってリンクされ得る。交流磁場７２８は、リモートＮＦＣデバイス７０４のアンテナコイル７２６における交流電流を誘導して、近接場領域にある場合、リモートＮＦＣデバイス７０４のアンテナコイル７２６を貫通する。
【００４５】
[0053]リスニングモードで動作している時、ＮＦＣアンテナコイル７０６、キャパシタ７２０、随意のエナジーハーベスタ（ＥＨ：energy harvester）７１６および受信機コンポーネント７１４は、リモートＮＦＣデバイス７０４による信号の変調が検出され得る共振回路を確立するＲＬＣ発振器を形成し得る。送信モードで動作している時、ＮＦＣデバイス７０２は、リモートＮＦＣデバイス７０４にデータを転送するために送信された信号を送るために、ＮＦＣアンテナコイル７０６に可変負荷抵抗を適用し得、その結果、磁場７２８を変調し得る。
【００４６】
[0054]図８は、通信デバイス８００の実施例構造を示す。通信デバイスは、ＮＦＣデバイス３１０（図３）、７０２（図７）、リモートＮＦＣデバイス３８０（図３）、７０４（図７）等を含み得、従って、それらのコンポーネントを含み得、および/または上述された関連付けられた機能を実行し得る。図８に図示されるように、通信デバイス８００は、例えば、受信アンテナ（図示せず）から信号を受信し、受信された信号に対して典型的な動作（例えば、フィルタ、増幅、ダウンコンバート等）を実行し、調整された信号をデジタル化してサンプルを得る受信機８０２を含む。受信機８０２は、受信されたシンボルを復調し、チャネル推定のためにプロセッサ８０６にそれらを提供することができる復調器８０４を含むことができる。プロセッサ８０６は、受信機８０２によって受信される情報を分析すること、および／または送信機８２０による送信のための情報を生成することに特化されるプロセッサであることができ、通信デバイス８００の１つまたは複数のコンポーネントを制御するプロセッサ、および／または、両方、受信機８０２によって受信される情報を分析し、送信機８２０による送信のための情報を生成し、通信デバイス８００の１つまたは複数のコンポーネントを制御するプロセッサであることができる。さらに、信号は、プロセッサ８０６によって処理された信号を変調しうる変調器８１８を通じて、送信機８２０による送信のために準備されうる。
【００４７】
[0055]通信デバイス８００は、プロセッサ８０６に動作可能に結合され、かつ、送信されるデータ、受信されたデータ、利用可能なチャネルに関する情報、ＴＣＰフロー、分析された信号および／または干渉強度と関連づけられたデータ、割り当てられたチャネルや電力やレート等に関する情報、および、チャネルを推定し、このチャネルを介して通信するためのその他任意の適切な情報を格納できる、メモリ８０８を追加で含むことができる。
【００４８】
[0056]さらに、送信機８２０は、送信回路において送信されたキャリアのための送信信号を生成することができ、受信機８０２は、受信回路において受信キャリアを受信することができる。説明されたように、送信機８２０は、受信機８０２が変調されないキャリアを受信できるように、受信機８０２にループバックされることができる。本明細書で説明されるデータストア（例えば、メモリ８０８）は、揮発性メモリまたは不揮発性メモリのいずれかでありうるか、あるいは揮発性メモリと不揮発性メモリとの両方を含みうることが諒解されるであろう。限定ではなく例示として、不揮発性メモリは、読取専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、またはフラッシュメモリを含むことができる。揮発性メモリは、外部キャッシュメモリとして動作するランダムアクセスメモリ（ＲＡＭ）を含むことができる。限定ではなく例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、エンハンストＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）などの多くの形態で利用可能である。主題のシステムおよび方法のメモリ８０８は、それに限定されることなく、これらのタイプのメモリおよびその他任意の適切なタイプのメモリを備えうる。例えば、メモリ８０８は、本明細書で説明された様々なコンポーネントの機能を実行するための命令を含むことができる。
【００４９】
[0057]通信デバイス８００は、ＮＦＣコントローラ・インタフェース（ＮＣＩ）８３２を含み得る。ある態様では、ＮＣＩ８３２は、ＮＦＣコントローラ８３４とデバイスホスト８３０の間の通信を可能にするように構成され得る。加えて、通信デバイス８００は、ユーザ・インターフェース８４０を含みうる。ユーザ・インタフェース８４０は、通信デバイス８００に入力を生成するための入力機構８４２と、通信デバイス８００のユーザによる消費についての情報を生成するための出力機構８４４とを含みうる。例えば、入力機構８４２は、キーまたはキーボード、マウス、タッチスクリーンディスプレイ、マイクロフォン、等、のような機構を含みうる。更に、例えば、出力機構８４４は、ディスプレイ、オーディオスピーカ、触覚（haptics）フィードバック機構等を含み得る。例示された態様において、出力機構８４４は、画像または映像形式にあるメディアコンテンツを提示するように構成されたディスプレー、またはオーディオ形式にあるメディアコンテンツを提示するためのオーディオスピーカを含み得る。
【００５０】
[0058]図９は、処理システム９１４を用いる装置９０２のためのハードウェア実装の例を例示するブロック図９００である。処理システム９１４は、概してバス９２４によって表される、バスアーキテクチャを用いて実装され得る。バス９２４は、処理システム９１４の特定のアプリケーションおよび全体的な設計制約に依存して、任意の数の相互接続バスおよびブリッジを含み得る。バス９２４は、プロセッサ９０４、モジュール９７０、９７２、９８０、およびコンピュータ可読媒体９０６によって表された、１つまたは複数のプロセッサおよび／またはハードウェアモジュールを含む様々な回路を互いにリンクさせる。バス９２４はまた、タイミングソース、周辺機器、電圧レギュレータ、および電力管理回路のような様々な他の回路をリンクしうるが、それらは、当該技術において良く知られており、したがって、これ以上は説明されない。
【００５１】
[0059]処理システム９１４は、トランシーバ９１０に結合され得る。トランシーバ９１０は、２つ以上のアンテナ９２０に接続される。トランシーバ９１０は、伝送媒体によってその他の様々な装置と通信する手段を提供する。処理システム９１４は、コンピュータ可読媒体９０６に結合されたプロセッサ９０４を含む。プロセッサ９０４は、コンピュータ可読媒体９０６上において記憶されたソフトウェアの実行を含む、一般的な処理を担う。ソフトウェアは、プロセッサ９０４によって実行された場合、処理システム９１４に、任意の特定の装置について上記に説明した様々な機能を実行させる。コンピュータ可読媒体９０６はまた、ソフトウェアを実行するとき、プロセッサ９０４によって操作されるデータを記憶するために使用されうる。処理システムはさらに、モジュール９７０、９７２および９８０のうちの少なくとも１つを含む。モジュールは、プロセッサ９０４内において実行中のソフトウェアモジュール、コンピュータ可読媒体９０６内において存在する／記憶されたソフトウェアモジュール、プロセッサ９０４に結合された１つまたは複数のハードウェアモジュール、またはそれらの何らかの組み合わせでありうる。ある態様では、処理システム９１４は、通信デバイス８００（図８）のうちのあるコンポーネントであり得、メモリ８０８および／または送信機８２０、受信機８０２、およびプロセッサ８０６のうちの少なくとも１つを含み得る。
【００５２】
[0060]構成において、ＮＦＣ通信のためのＮＦＣデバイスにおける１つまたは複数の信号の使用を可能にするための装置８００/９０２は、ＮＦＣコントローラにおいて、デバイスホストからステイ・クワイエット・コマンドを受信するための手段と、ステイ・クワイエット・コマンドは、１つまたは複数のリモートＮＦＣエンドポイントに対応する１つまたは複数のＵＩＤを含み、およびＮＦＣコントローラによって、ステイ・クワイエット・コマンドに少なくとも部分的に基づいてデバイスホストにステイ・クワイエット応答を送信するための手段を含む。
【００５３】
[0061]上に説明されたように、処理システム９１４は、送信機８２０、受信機８０２、およびプロセッサ８０６を含み得る。したがって、１つの構成では、前述の手段は、前述の手段によって記載された機能を実行するよう構成された、送信機８２０、受信機８０２および／またはプロセッサ８０６であり得る。
【００５４】
［0062］本願で使用される場合、「コンポーネント」、「モジュール」、「システム」、等の用語は、それに限定されるものではないが、ハードウェア、ファームウェア、ハードウェアとソフトウェアの組み合わせ、ソフトウェア、または実行中のソフトウェアのような、コンピュータ関連エンティティを含むように意図される。例えば、コンポーネントは、それに限定されるものではないが、プロセッサで実行中のプロセス、プロセッサ、オブジェクト、プログラムとして実行可能なファイル（executable）、実行スレッド、プログラム、および／またはコンピュータでありうる。例として、コンピューティングデバイスで実行中のアプリケーションとコンピューティングデバイスの両方が、コンポーネントであることができる。１つまたは複数のコンポーネントが、プロセスおよび／または実行スレッド内に存在することができ、１つのコンポーネントが、１つのコンピュータでローカライズされ得る、および／または、２つ以上のコンピュータ間で分散され得る。さらに、これらのコンポーネントは、その上に記憶された様々なデータ構造を有する様々なコンピュータ可読媒体から実行されることができる。コンポーネントは、ローカルシステム、分散システム内の別のコンポーネントと相互作用し、および／またはインターネットのようなネットワークを介して信号を経由して他のシステムと相互作用する１つのコンポーネントからのデータのような、１つまたは複数のデータパケットを有する信号に従うことなどによって、ローカルプロセスおよび／またはリモートプロセスを経由して通信し得る。
【００５５】
[0063]さらに、本明細書では、様々な態様が、端末に関連して説明され、それは、有線端末または無線端末でありうる。端末はまた、システム、デバイス、加入者ユニット、加入者局、移動局、モバイル、モバイルデバイス、リモート局、モバイル機器（ＭＥ）、リモート端末、アクセス端末、ユーザ端末、端末、通信デバイス、ユーザエージェント、ユーザデバイス、またはユーザ機器（ＵＥ）と称されうる。無線端末は、セルラ電話、衛星電話、コードレス電話、セッション開始プロトコル（ＳＩＰ）電話、無線ローカルループ（ＷＬＬ）局、携帯情報端末（ＰＤＡ）、無線接続機能を有するハンドヘルドデバイス、コンピューティングデバイス、または、無線モデムに接続されたその他の処理デバイスでありうる。その上、様々な態様が基地局に関連して本明細書において説明される。基地局は、ワイヤレス端末と通信するために利用され、また、アクセスポイント、ノードＢ、または何らかの他の用語で呼ばれうる。
【００５６】
[0064]さらに、「または（“or”）」という用語は、排他的な「または」ではなく、包括的な「または」を意味するように意図される。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本願および添付の特許請求の範囲で使用される冠詞「ａ」および「ａｎ」は、別段の規定がない限り、または単数形を示すことが文脈から明白でない限り、概して「１つまたは複数」を意味するものと解釈されるべきである。
【００５７】
[0065]本明細書で説明された技術は、ＣＤＭＡ、ＴＤＭＡ、ＦＤＭＡ、ＯＦＤＭＡ、ＳＣ−ＦＤＭＡおよび他のシステムなどの、様々な無線通信システムのために使用されうる。「システム」および「ネットワーク」という用語は、しばしば交換可能に用いられる。ＣＤＭＡシステムは、ユニバーサル地上無線アクセス（ＵＴＲＡ）、ｃｄｍａ２０００等のような無線技術を実現し得る。ＵＴＲＡは、広帯域ＣＤＭＡ（Ｗ−ＣＤＭＡ（登録商標））およびＣＤＭＡの他の変形を含む。さらに、ｃｄｍａ２０００は、ＩＳ−２０００規格、ＩＳ−９５規格、およびＩＳ−８５６規格をカバーする。ＴＤＭＡシステムは、移動通信のためのグローバルシステム（ＧＳＭ（登録商標））のような無線技術を実現し得る。ＯＦＤＭＡシステムは、進化型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ等、のような無線技術を実装し得る。ＵＴＲＡおよびＥ-ＵＴＲＡは、ユニバーサルモバイル電気通信システム（ＵＭＴＳ）の一部である。３ＧＰＰ（登録商標）ロングタームエボリューション（ＬＴＥ（登録商標））は、Ｅ−ＵＴＲＡを使用するＵＭＴＳのリリースであり、それは、ダウンリンク上においてＯＦＤＭＡを、アップリンク上においてＳＣ−ＦＤＭＡを用いる。ＵＴＲＡ、Ｅ−ＵＴＲＡ、ＵＭＴＳ、ＬＴＥおよびＧＳＭは、「第３世代パートナシッププロジェクト」（３ＧＰＰ）という名称の組織からの文書内において記述される。加えて、ｃｄｍａ２０００およびＵＭＢは、「第３世代パートナシッププロジェクト２」（３ＧＰＰ２）という名称の組織からの文書内において説明される。さらに、こういった無線通信局システムは、多くの場合対では無く無認可のスペクトル、８０２．ｘｘ無線ＬＡＮ、ＢＬＵＥＴＯＯＴＨ（登録商標）、近接場通信（ＮＦＣ−Ａ、ＮＦＣ−Ｂ、ＮＦＣ、−ｆ等）および任意の他の短距離のまたは長距離の無線通信技術を用いるピアツーピア（例えば、モバイルツーモバイル）アドホックネットワークシステムを付加的に含み得る。
【００５８】
[0066]様々な態様または特徴が、多数のデバイス、コンポーネント、モジュール等を含みうるシステムに関して示される。さらに、様々なシステムは、追加的なデバイス、コンポーネント、モジュールなどを含みうる、および／あるいは図に関連して説明されるデバイス、コンポーネント、モジュールなどの全てを含まない可能性がある、ということが理解および諒解される。これらのアプローチの組み合わせも使用されうる。
【００５９】
[0067]本明細書に開示された態様に関連付けて説明された多様な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいはその他のプログラマブルロジックデバイス、離散ゲートもしくはトランジスタロジック、離散ハードウェアコンポーネント、あるいは本明細書において説明された機能を実行するために設計された、それら任意の組合せで実装あるいは実行されうる。汎用プロセッサは、マイクロプロセッサであっても良いが、代替として、プロセッサは、従来のプロセッサ、コントローラ、マイクロコントローラ、またはステートマシーンのいずれかであっても良い。プロセッサはまた、例えば、ＤＳＰとマイクロプロセッサの組み合わせ、複数のマイクロプロセッサ、ＤＳＰコアと連携した１つまたは複数のマイクロプロセッサ、あるいはその他任意のこのような構成である、コンピューティングデバイスの組み合わせとして実装されうる。さらに、少なくとも１つのプロセッサは、上述された１つまた複数のステップおよび／または動作を実行するように構成された１つまた複数のモジュールを備え得る。
【００６０】
[0068]さらに、本明細書において開示された態様に関連して説明された方法またはアルゴリズムのステップおよび／または動作は、直接ハードウェア内において、プロセッサによって実行されるソフトウェアモジュール内において、または２つの組み合わせ内において具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術で周知の任意の他の形態の記憶媒体内に存在し得る。実例的な記憶媒体は、プロセッサが記憶媒体から情報を読み取り、また、記憶媒体に情報を書き込むことができるように、プロセッサに結合されうる。代替において、記憶媒体は、プロセッサと一体化されうる。さらに、いくつかの態様では、プロセッサおよび記憶媒体は、ＡＳＩＣ内に存在しうる。加えて、ＡＳＩＣはユーザ端末内において存在しうる。代替において、プロセッサおよび記憶媒体は、ユーザ端末内にディスクリートコンポーネントとして存在しうる。さらに、いくつかの態様では、方法またはアルゴリズムのステップおよび/または動作は、コンピュータプログラム製品に組み込まれうる、機械可読媒体および/またはコンピュータ可読媒体上のコードおよび/または命令の1つまたは任意の組み合わせ、あるいはそのセットとして存在しうる。
【００６１】
[0069]１つまたは複数の態様では、説明された機能は、ハードウェア、ソフトウェア、ファームウェア、またはこれらの任意の組み合わせで実装されうる。ソフトウェアで実装される場合、これら機能は、コンピュータ可読媒体上で、１つまたは複数の命令またはコードとして送信または記憶されうる。コンピュータ可読媒体は、１つの場所から別の場所へのコンピュータプログラムの転送を容易にする任意の媒体を含む、コンピュータ記憶媒体と通信媒体の両方を含む。記憶媒体は、コンピュータによってアクセスされうる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するために使用されることができ、コンピュータによってアクセスされることができる任意の他の媒体を備えることができる。また、任意の接続も、コンピュータ可読媒体と称されうる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disk）は、通常磁気的にデータを再生し、一方ディスク（disc）は、レーザーを用いて光学的にデータを再生する。上記の組み合わせもまた、コンピュータ可読媒体の範囲内に含まれるべきである。
【００６２】
[0070]上記の開示は、例示的な態様および/または態様を説明している一方で、説明された態様および／または添付の特許請求の範囲によって定義された態様の範囲から逸脱することなく、様々な変更および修正が本明細書で行われうることに留意されたい。さらに、説明された態様および/または態様の要素は、単数形で説明または特許請求されうるが、単数形に限定することが明記されていない限り、複数形が企図される。さらに、任意の態様および/または態様の全部または一部は、別段の規定がない限り、任意の他の態様および/または態様の全部または一部とともに利用されうる。
以下に本願の出願当初の特許請求の範囲に記載された発明を付記する。
[Ｃ１]  近接場通信（ＮＦＣ）通信用ＮＦＣデバイスにおける１つまたは複数の信号の使用を可能にする方法であって、
ＮＦＣコントローラにおいて、デバイスホストからステイ・クワイエット・コマンドを受信することと、ここにおいて、前記ステイ・クワイエット・コマンドは、１つのまたは複数のリモートＮＦＣエンドポイントに対応する１つまたは複数の固有の識別子（ＵＩＤ）を含む、
前記ＮＦＣコントローラによって、前記ステイ・クワイエット・コマンドに少なくとも部分的に基づいて、前記デバイスホストに、ステイ・クワイエット応答を送信することと、
を備える、方法。
[Ｃ２]  前記ＮＦＣコントローラによって、前記１つまたは複数のＵＩＤに少なくとも部分的に基づいて、前記ＮＦＣデバイスの範囲内の１つまたは複数のＮＦＣエンドポイントに１つまたは複数のステイ・クワイエット要求を送信することと、
前記ＮＦＣコントローラによって、前記１つまたは複数のステイ・クワイエット要求の前記送信の完了に少なくとも部分的に基づいて、前記デバイスホストにステイ・クワイエット通知を送信することと、
をさらに備える、Ｃ１に記載の方法。
[Ｃ３]  前記デバイスホストが、ポーリングモードにあり、前記フレームＲＦインターフェースがタイプ５プロトコルのために活性化されたときに前記ステイ・クワイエット・コマンドが受信される、Ｃ１に記載の方法。
[Ｃ４]  前記１つまたは複数のステイ・クワイエット要求は、少なくとも１つまたは複数のパラメータ値を使用するデータ交換プロトコルを使用して送信される、Ｃ１に記載の方法。
[Ｃ５]  前記１つまたは複数のパラメータ値は、ＲＦ技術およびモードパラメータのうちの１つまたは両方を含む、Ｃ４に記載の方法。
[Ｃ６]  前記ＲＦ技術およびモードパラメータは、ＮＦＣ−Ｖ技術に対応する、Ｃ５に記載の方法。
[Ｃ７]  前記ステイ・クワイエット・コマンドは、前記1つまたは複数のＵＩＤに対応するリモートＮＦＣエンドポイントの数のフィールドをさらに含み、前記ＮＦＣコントローラは、リモートＮＦＣエンドポイントの前記数に対応するステイ・クワイエット要求の数を送信する、Ｃ１に記載の方法。
[Ｃ８]  前記ＮＦＣデバイスの範囲内の前記１つまたは複数のＮＦＣエンドポイントの各々は、ＵＩＤを含み、前記１つまたは複数のステイ・クワイエット要求内の前記１つまたは複数のＵＩＤのうちの１つが前記ＵＩＤと一致することを判断することに少なくとも部分的に基づいて、クワイエット状態に入るように構成されている、Ｃ１に記載の方法。
[Ｃ９]  前記ステイ・クワイエット応答は、前記ステイ・クワイエット・コマンドが受信されたことを前記デバイスホストに示すステータス値を含む、Ｃ１に記載の方法。
[Ｃ１０]  前記１つまたは複数のＮＦＣエンドポイントは、遠隔ＮＦＣタグ、またはピアＮＦＣデバイス、または読取デバイス、またはライタデバイス、またはＮＦＣカードのうちの、少なくとも、１つまたは複数を含む、Ｃ１に記載の方法。
[Ｃ１１]  近接場通信（ＮＦＣ）通信用ＮＦＣデバイスにおける１つまたは複数の信号の使用を可能にするための装置であって、
ＮＦＣコントローラにおいて、デバイスホストからステイ・クワイエット・コマンドを受信するための手段と、ここにおいて、前記ステイ・クワイエット・コマンドは、１つまたは複数のリモートＮＦＣエンドポイントに対応する１つまたは複数の固有の識別子（ＵＩＤ）を含む、
前記ＮＦＣコントローラによって、前記ステイ・クワイエット・コマンドに少なくとも部分的に基づいて、前記デバイスホストにステイ・クワイエット応答を送信するための手段と、
を備える装置。
[Ｃ１２]  前記ＮＦＣコントローラによって、前記１つまたは複数のＵＩＤに少なくとも部分的に基づいて、前記ＮＦＣデバイスの範囲内の1つまたは複数のＮＦＣエンドポイントに１つまたは複数のステイ・クワイエット要求を送信するための手段と、
前記ＮＦＣコントローラによって、前記１つまたは複数のステイ・クワイエット要求の前記送信の完了に少なくとも部分的に基づいて、前記デバイスホストにステイ・クワイエット通知を送信するための手段と、
を備える、Ｃ１１に記載の装置。
[Ｃ１３]  前記デバイスホストが、ポーリングモードにあり、前記フレームＲＦインターフェースが、タイプ５プロトコルのために活性化されたときに前記ステイ・クワイエット・コマンドが受信される、Ｃ１１に記載の装置。
[Ｃ１４]  前記１つまたは複数のステイ・クワイエット要求は、少なくとも、１つまたは複数のパラメータ値を使用するデータ交換プロトコルを使用して送信される、Ｃ１１に記載の装置。
[Ｃ１５]  前記１つまたは複数のパラメータ値は、ＲＦ技術およびモードパラメータのうちの１つまたは両方を含む、Ｃ１４に記載の装置。
[Ｃ１６]  近接場通信（ＮＦＣ）通信のためのＮＦＣデバイスにおける１つまたは複数の信号の使用を可能にするための装置であって、
データを記憶するように構成されたメモリと、
メモリと通信可能に結合された１つまたは複数のプロセッサとを備え、ここにおいて、前記１つまたは複数のプロセッサは、
ＮＦＣコントローラにおいて、デバイスホストからステイ・クワイエット・コマンドを受信し、ここにおいて、前記ステイ・クワイエット・コマンドは、１つまたは複数のリモートＮＦＣエンドポイントに対応する１つまたは複数の固有の識別子（ＵＩＤ）を含む、
前記ＮＦＣコントローラによって、前記ステイ・クワイエット・コマンドに少なくとも部分的に基づいて、前記デバイスホストにステイ・クワイエット応答を送信する
ように構成される、
装置。
[Ｃ１７]  前記１つまたは複数のプロセッサおよび前記メモリは、
前記ＮＦＣコントローラによって、前記１つまたは複数のＵＩＤに少なくとも部分的に基づいて、前記ＮＦＣデバイスの範囲内の１つまたは複数のＮＦＣエンドポイントに１つまたは複数のステイ・クワイエット要求を送信し、
前記ＮＦＣコントローラによって、前記１つまたは複数のステイ・クワイエット要求の前記送信の完了に少なくとも部分的に基づいて、前記デバイスホストにステイ・クワイエット通知を送信する、
ようにさらに構成される、Ｃ１６に記載の装置。
[Ｃ１８]  前記デバイスホストが、ポーリングモードにあり、前記フレームＲＦインターフェースが、タイプ５プロトコルのために活性化されたときに前記ステイ・クワイエット・コマンドが受信される、Ｃ１６に記載の装置。
[Ｃ１９]  前記１つまたは複数のステイ・クワイエット要求は、少なくとも、１つまたは複数のパラメータ値を使用するデータ交換プロトコルを使用して送信される、Ｃ１６に記載の装置。
[Ｃ２０]  前記１つまたは複数のパラメータ値は、ＲＦ技術およびモードパラメータのうちの１つまたは両方を含む、Ｃ１９に記載の装置。
[Ｃ２１]  前記ＲＦ技術およびモードパラメータは、ＮＦＣ−Ｖ技術に対応する、Ｃ２０に記載の装置。
[Ｃ２２]  前記ステイ・クワイエット・コマンドは、前記１つのまたは複数のＵＩＤに対応するリモートＮＦＣエンドポイントの数のフィールドをさらに含み、前記ＮＦＣコントローラは、リモートＮＦＣエンドポイントの前記数に対応するステイ・クワイエット要求の数を送信する、Ｃ１６に記載の装置。
[Ｃ２３]    前記ＮＦＣデバイスの範囲内の前記１つまたは複数のＮＦＣエンドポイントの各々は、ＵＩＤを含み、前記１つまたは複数のステイ・クワイエット要求内の前記１つまたは複数のＵＩＤのうちの１つが前記ＵＩＤと一致することを判断することに少なくとも部分的に基づいて、クワイエット状態に入るように構成されている、Ｃ１６に記載の装置。
[Ｃ２４]  前記ステイ・クワイエット応答は、前記ステイ・クワイエット・コマンドが受信されたことを前記デバイスホストに示すステータス値を含む、Ｃ１６に記載の装置。
[Ｃ２５]  前記１つまたは複数のＮＦＣのエンドポイントは、リモートＮＦＣタグ、またはピアＮＦＣデバイス、または読取デバイス、またはライタデバイス、またはＮＦＣカードのうちの、少なくとも、１つまたは複数を含む、Ｃ１６に記載の装置。
[Ｃ２６]  近接場通信（ＮＦＣ）通信用近接場通信（ＮＦＣ）デバイスにおける、１つまたは複数の信号の使用を可能にするためのコンピュータ実行可能コードを記憶するコンピュータ可読媒体であって、
ＮＦＣコントローラにおいて、デバイスホストからステイ・クワイエット・コマンドを受信するためのコードと、前記ステイ・クワイエット・コマンドは、１つのまたは複数のリモートＮＦＣエンドポイントに対応する１つまたは複数の固有の識別子（ＵＩＤ）を含む、
前記ＮＦＣコントローラによって、前記ステイ・クワイエット・コマンドに少なくとも部分的に基づいて、前記デバイスホストにステイ・クワイエット応答を送信するためのコードと、
を備える、コンピュータ可読媒体。
[Ｃ２７]  前記ＮＦＣコントローラによって、前記１つまたは複数のＵＩＤに少なくとも部分的に基づいて、前記ＮＦＣデバイスの範囲内の１つまたは複数のＮＦＣエンドポイントに１つまたは複数のステイ・クワイエット要求を送信するためのコードと、
前記ＮＦＣコントローラによって、前記１つまたは複数のステイ・クワイエット要求の前記送信の完了に少なくとも部分的に基づいて、前記デバイスホストにステイ・クワイエット通知を送信するためのコードと、
をさらに備える、Ｃ２６に記載のコンピュータ可読媒体。
[Ｃ２８]  前記デバイスホストが、ポーリングモードにあり、前記フレームＲＦインターフェースが、タイプ５プロトコルのために活性化されたときに前記ステイ・クワイエット・コマンドが受信される、Ｃ２６に記載のコンピュータ可読媒体。
[Ｃ２９]  前記１つまたは複数のステイ・クワイエット要求は、少なくとも、１つまたは複数のパラメータ値を使用するデータ交換プロトコルを使用して送信される、Ｃ２６に記載のコンピュータ可読媒体。
[Ｃ３０]  前記１つまたは複数のパラメータ値は、ＲＦ技術とモードパラメータのうちの１つまたは両方を含む、Ｃ２９に記載のコンピュータ可読媒体。
【図１】
0006615884.tif 000002
【図２】
0006615884.tif 000003
【図３】
0006615884.tif 000004
【図４】
0006615884.tif 000005
【図５】
0006615884.tif 000006
【図６】
0006615884.tif 000007
【図７】
0006615884.tif 000008
【図８】
0006615884.tif 000009
【図９】
0006615884.tif 000010